(57)【要約】【課題】葬儀から始まり、いわゆる４９日の法要（忌明け）までの期間内であっても使用することができる「書いて消せる法名軸」を提供すること。【解決手段】総縁２０において、長尺台紙の長手方向の上端部である天部４０、及び下端部である地部５０を備えており、天部４０に吊り紐６０、及び風帯７０を備えており、中廻し３０の略中央位置にホワイトボードシート９０を備えた法名軸１０とした。【選択図】図１
0003212594.tif 000002
【実用新案登録請求の範囲】
【請求項１】
少なくとも総縁、中廻しを備えた長尺台紙をベースとし、
前記総縁において、前記長尺台紙の長手方向の上端部である天部、及び下端部である地部を備えており、前記天部に吊り紐、及び風帯を備えており、前記地部の下端に軸棒を備えており、さらに、前記中廻しの略中央位置にホワイトボードシートを設置したことを特徴とする法名軸。
【請求項２】
前記ホワイトボードシートは、塩素化ポリエチレン樹脂シートをベースとし、白色ポリエチレンテレフタレートフィルムを重ね、さらに、表面にフッ素コーティング処理を施したものであることを特徴とする請求項１に記載の法名軸。
【考案の詳細な説明】
【技術分野】
【０００１】  本考案は、葬儀、法要、及び４９日法事等に使用する祭壇飾りの一種である法名軸に関する。さらに言えば、掛け軸の一種である法名軸の本紙の部分にホワイトボードシートを採用することで、法名等を書いたり消したりすることが自由にできるので、葬儀等の緊急時であっても必要な時に使用することができる法名軸に関する。
【背景技術】
【０００２】  法名軸とは、故人の死亡年月日と法名等を記した掛け軸のことで、特に、浄上真宗系の宗派で使用される掛け軸のことである。法名軸は、亡くなった故人の死亡年月日と法名等を見易いように掛け軸の中心部に掲載するものであるが、従来型の法名軸は、故人によって法名が違うことにより、当然のことながら個別に製作されるものである。そのため、特別な場合を除いて、故人が亡くなった後に遺族が製作を依頼することになる。【０００３】  通常法名軸の完成までに要する期間は、職人の手作業による工程が殆どであるため、１か月〜２か月程度必要である。現状において、故人を悼むための法要は、葬儀から始まり、いわゆる４９日の法要（忌明け）まで毎週行われるものである。従って、この期間内に行われる法要においては、法名軸の製作が間に合わないことになるので法名軸が使用されることは無かった。このような現状を鑑み出願人らは、この期間内であっても使用できる法名軸があれば良いと考えていた。【０００３】  特許文献１には、「所定の掛け軸に諸種の寸法を有する各種の絵葉書を自由、且つ、容易に交換可能に装着する。（特許文献１：課題）」ことを課題として、「この発明は上記課題を解決するために掛け軸２の表地６ａ表面に添設する如く、該表地６ａ表面の横方向へ透明糸１０を延設し、且つ、該透明糸１０の両端部を掛け軸２の表地６ａより裏地６ｂ方向へ挿入する等して、該透明糸１０の両端部を掛け軸２の基地６に固定すると共に、該透明糸１０の下方部であって、且つ、横方向へ浅い受溝１２が設けられている絵葉書等の掛け軸を提供する（特許文献１：解決課題）。」が開示されている。要するに、特許文献１には、掛け軸の本紙部分に絵葉書を交換可能に取り付けることができる掛け軸が開示されている。
【先行技術文献】
【特許文献】
【０００４】
【特許文献１】特開２００６−３２５８５８号公報
【考案の概要】
【考案が解決しようとする課題】
【０００５】  特許文献１に係る発明は、所定の掛け軸に諸種の寸法を有する各種の絵葉書を自由、且つ、容易に交換可能に装着することができるというものであるが、特許文献１に係る発明を法名軸として採用するならば、法名等を記載した用紙を、法要等が執り行われるその都度作成しなければならないことになるし、法名等を記載した用紙を取り換える必要もあるので、交換作業が容易であったとしても交換という手間が掛かるので好ましくない。【０００６】  本考案の目的は、法名等を記載した用紙を法要等が執り行われるその都度作成する必要も無く、法名等を記載した用紙を取り換える必要も無く、葬儀から始まり、いわゆる４９日の法要（忌明け）までの期間内であっても使用することができる「書いて消せる法名軸」を提供することにある。
【課題を解決するための手段】
【０００７】  上記課題を解決するために、本願請求項１に記載した考案は、少なくとも総縁、中廻しを備えた長尺台紙をベースとし、前記総縁において、前記長尺台紙の長手方向の上端部である天部、及び下端部である地部を備えており、前記天部に吊り紐、及び風帯を備えており、前記地部の下端に軸棒を備えており、さらに、前記中廻しの略中央位置にホワイトボードシートを設置したことを特徴とする法名軸であることを特徴とするものである。【０００８】  本願請求項２に記載した考案は、請求項１に記載した考案において、前記ホワイトボードシートは、塩素化ポリエチレン樹脂シートをベースとし、白色ポリエチレンテレフタレートフィルムを重ね、さらに、表面にフッ素コーティング処理を施したものである法名軸であることを特徴とするものである。
【考案の効果】
【０００９】  本考案に係る法名軸は、従来型の法名軸における本紙としてホワイトボードシートを使用し、中廻しの略中央位置に設置している。要するに、掛け軸の一種である法名軸の本紙部分にホワイトボードシートを採用することで、法名等が書き消し自在となり、何度でも繰り返し使用することができる法名軸（書いて消せる法名軸）が実現できるようになった。【００１０】  通常法名軸の製作に要する期間は、職人の手作業による工程が殆どであるため、１か月〜２か月程度必要であった。従って、葬儀から始まり、いわゆる４９日の法要（忌明け）までの期間内に行われる故人を悼むための法要においては、法名軸を使用することができなかったのであるが、本考案に係る法名軸を採用することにより、葬儀から始まり、いわゆる４９日の法要（忌明け）までの期間内に行われる故人を悼むための法要においても、法名軸を使用することができるようになった。しかも、ホワイトボードシートの表面は、特殊なコーティング処理をしているため、ホワイトボード用マーカーで何百回、何千回、法名等を書いたり消したりを繰り返しても、表面が傷つかないため半永久的に使用することができる。
【図面の簡単な説明】
【００１１】
【図１】本考案に係る法名軸の全体正面図（専用スタンドに吊り下げた状態）である。
【図２】法名軸の使用状態を示す図である。
【考案を実施するための形態】
【００１２】＜法名軸の構造＞
以下、本考案に係る法名軸１０について、図１〜図２を参照しつつ詳細に説明する。図１は、本考案に係る法名軸１０の全体正面図（専用スタンドに吊り下げた状態）である。
【００１３】  本考案に係る法名軸１０は通常の法名軸と同様の構成を採用しており、総縁２０、中廻し３０を備えた長尺台紙をベースとしている。長尺台紙の長手方向の上端部（総縁２０の一部）である天部４０、及び下端部（総縁２０の一部）である地部５０が構成されており、天部４０の上端に吊り紐６０、天部４０略中央部分に風帯７０（縦に二本）を備えており、地部５０の下端に軸棒８０を備えている。このように従来型の法名軸とほぼ同じ構成を採用している。詳細には、法名軸１０の仕立ては本造り「真の草」（仏画や題目、墨跡など仏教に関する書画の表装に用いられる重厚な形式）の形態を採用しており、使う部材も全て本来の法名軸仕様を採用している。
【００１４】  因みに、仏画や題目、墨跡など仏教に関する書画の表装に用いられる重厚な形式には、真（真の真・真の行・真の草）、或いは、行（行の真・行の行・行の草）のような各種形式が知られている。真（真の真・真の行・真の草）について簡単に説明すると、「真の真」形式は「一文字」・「中廻し３０」・「総縁２０」のすべてが「本紙（ホワイトボードシート９０）」を取り囲んでおり、「風帯７０」には「一文字」に採用した裂地と同じ裂地を採用した形式である。「真の行」形式は、「真の真」形式との比較において、「一文字」が「本紙（ホワイトボードシート９０）」を取り囲まないで「本紙（ホワイトボードシート９０）」の上下にのみ残した形式であり、「風帯７０」には「中廻し３０」に採用した裂地と同じ裂地を採用している。そして、本考案に係る法名軸１０として採用している「真の草」形式は、「真の行」形式との比較において「一文字」部分を全て取り外したものであり、「風帯７０」は「中廻し３０」に採用した裂地と同じ裂地を採用している。
【００１５】  本考案に係る法名軸１０と従来型の法名軸との違いは、従来型の法名軸は、中廻し３０の略中央位置に本紙を備えたものであるのに対し、本考案に係る法名軸１０は、本紙を設置する位置にホワイトボートシート９０を設置したことである。即ち、従来型の法名軸は、本紙と呼ばれる部分に故人の死亡年月日と法名等を書き込んでいるのであるが（当然のことながら、一度書いたら消すことはできない）、本考案に係る法名軸１０は、本紙の位置に「何も書いてない」ホワイトボードシート９０（何度でも書いたり、消したりすることができる）を採用し、中廻し３０の略中央位置に設置したことである。
【００１６】  尚、本明細書において、ホワイトボードシート９０とは、ホワイトボード機能（何度でも書いたり、消したりすることができる機能）を有するシートであり、壁面、家具、パーティション等に貼るだけで、ホワイトボードとすることができるものである。ホワイトボードシート９０の構造は、塩素化ポリエチレン樹脂層（マグネットが吸着できるようにするため、鉄粉が練り込んであることもある）をベースとして、白色ポリエチレンテレフタレートフィルム（ＰＥＴフィルム）を重ね、さらに、表面にフッ素コーティング処理を施したものが一般的であるが、これ以外にも、種々の素材を使用することができる。
＜法名軸の使用方法＞
【００１７】  図２は、本考案に係る法名軸１０の使用状態を示す図である。本考案に係る法名軸１０は、葬儀、法要、及び４９日法事等に使用する祭壇飾りの一種であり、図２に記載したように、仏壇の手前向かって右側の見やすい場所に設置することになる。本考案に係る法名軸１０を設置する場所は畳の上であることが殆どであると思われるが、畳の上に置く場合は、図２に記載したように、まず、フック付きの専用スタンドを設置し、フック部分に法名軸１０の天部４０に設置した吊り紐６０を引っ掛けて吊り下げることになる。
【００１８】  仏壇の手前向かって右側の見やすい場所に法名軸１０を設置する前に、法名軸１０の中廻し３０の略中央位置の本紙を設置する位置に設置したホワイトボートシート９０に、ホワイトボードマーカー（筆書きができるものが好ましい）を使用して法名等を書き込むことになる。該ホワイトボードマーカーは通常のマジックペンと違い、剥離剤が含まれており、筆跡とホワイトボードシート９０の間に剥離剤の層が形成されることで、乾いた布等で拭くと簡単に筆跡を拭き取ることができるものである。このため、何度も繰り返して書き消しができるようになっている。そして、透明な剥離剤層が、ホワイトボードシート９０の表面に残った場合は水拭きで清掃することができる。尚、ホワイトボードシート９０は、専用のマーカーと字消し（柔らかい芯にフェルト布を巻き付けて字を消しやすくした物が主）とセットで使用することになる。
【００１９】  ＜法名軸の効果＞
本考案の係る法名軸１０の最も大きな特徴は、故人毎に必要であった法名軸の法名記載部分を根本的に見直すこと（具体的には、ホワイトボードシート９０を採用）により、法名等を書いたり消したりすることが可能であるため、要するに、法名等をその都度書き替えるだけで良く、葬儀等の緊急時であっても、何時でも使用できる「書いて消せる法名軸」を実現したことにある。しかも、ホワイトボードシート９０以外の構成は、従来型の法名軸に備わっているものと全く同じ（本考案に係る法名軸１０は「真の草」方式を採用している）であり見栄えにおいても全く劣ることが無い。
【００２０】  即ち、ホワイトボードシート９０部分以外の、本考案に係る仮法名軸１０に使用される素材としては、金襴、銀欄等の高級感溢れる裂地を用いることもできる。例えば、風帯７０に金襴、銀欄等の裂地が用いることができるし、同様に、中廻し３０にも本格的な法名軸に使用される素材（金襴、銀欄等の裂地）を用いることができる。
【００２１】  本紙としてホワイトボードシート９０を使用し、中廻し３０の略中央位置に設置したこと、要するに、掛け軸の一種である法名軸の本紙部分にホワイトボードシート９０を採用することで、法名等が書き消し自在となり、何度でも繰り返し使用することができるようになった。従って、葬儀から始まり、いわゆる４９日の法要（忌明け）までの期間内に行われる故人を悼むための法要においても、法名軸を使用することができるようになった。さらに、故人が複数に及びことになる「いわゆる連名」の法事であっても、法名等が書き消し自在であることより、柔軟に対応することができるようになった。尚、ホワイトボードシート９０上層の部分は、白ペット（ＰＥＴ）フィルムにハードコート（フッ素）という特殊なコーティング処理をしているため、ホワイトボード用マーカーで何百回、何千回書き消ししても表面に傷がつかない。
【００２２】＜仮法名軸の変更例＞
本考案に係る仮法名軸は、上記実施形態の態様に何ら限定されるものではなく、総縁、中廻し、天部、地部、吊り紐、風帯、軸棒、ホワイトボードシート等の構成を、本考案の趣旨を逸脱しない範囲で、必要に応じて適宜変更することができる。
【産業上の利用可能性】
【００２３】  本考案に係る法名軸は、上記の如く優れた効果を奏するものであるので、葬儀、法要、及び４９日法事等に使用する祭壇飾り等に関する分野で好適に用いることができる。
【符号の説明】
【００２４】  １０・・法名軸
２０・・総縁
３０・・中廻し
４０・・天部
５０・・地部
６０・・吊り紐
７０・・風帯
８０・・軸棒
９０・・ホワイトボードシート
【図１】
0003212594.tif 000003
【図２】
0003212594.tif 000004